(57)【要約】      （修正有）【課題】従来方式では噴射装置にポンプ等を使用して直接噴射装置に接するので研磨剤入り又は専用の口内洗浄液は構造上使えない。本発明は歯間、歯周、口腔に、いかなる噴射液でも動力源に接触する事なしで噴射出来るので歯間、歯周、口腔の洗浄に有効である。【解決手段】圧力空気源１からの圧力空気により霧吹きの原理により洗浄剤容器９の溶液を吸入チューブ１０から吸い上げ霧状にしてノズル１２の噴射口１４から直接歯間、歯周、口腔に噴射し洗浄する。この事により洗浄液は駆動源に触れる事はない。本発明は以上のような構成よりなる歯間歯周口腔洗浄噴射装置である。【選択図】図１
2007014730.tif 000002
【特許請求の範囲】
【請求項１】
圧力空気源を備え、その空気圧を利用して溶剤を霧状にしノズルから噴射し、口腔、歯特に歯間、歯周を効率よく磨く歯磨き、口腔洗浄装置。
【発明の詳細な説明】
【発明の詳細な説明】
【０００１】この発明は歯間、歯周、口腔を市販の口内洗浄液、歯磨き剤を水でといた溶液等で洗浄する装置である。
【背景技術】
【０００２】従来は単に水を噴射する、又は歯ブラシのブラシの先から水を広範囲に噴射する方式で歯垢及び汚れは水では落ちにくい。
【発明が解決しようとする課題】
【０００３】従来方式では噴射装置にポンプ等を使用して直接噴射装置に接するので研磨剤入り又は専用の口内洗浄液は構造上使えない。
本発明は歯間、歯周、口腔に、いかなる噴射液でも動力源に接触する事なしで噴射出来るので歯間、歯周、口腔の洗浄に有効である。
【課題を解決しようとする手段】
【０００４】圧力空気源１からの圧力空気により霧吹きの原理により洗浄剤容器９の溶液を吸入チューブ１０から吸い上げ霧状にしてノズル１２の噴射口１４から直接歯間、歯周、口腔に噴射し洗浄する。
この事により洗浄液は駆動源に触れる事はない。
本発明は以上のような構成よりなる歯間歯周口腔洗浄噴射装置である。
【発明を実施するための最良の形態】
【０００５】以下、本発明の実施の形態について説明する。
（イ）圧力空気源１を設けこれはコンプレッサー２でも足踏みポンプ３でも手動式ポンプ４でも良くアキュームレータ５は使い勝手を良くする目的で、なくても良くトリガー１３は圧縮空気のスイッチでアキュームレータ５がない場合は不要である。
（ロ）ノズル１２には容器サポート７により取り付けられた脱着可能な洗浄剤容器９がで設けられており、この容器は圧縮空気の経路上どこでも設置してかまわない，容器には吸入チューブ１０とふた８が設けられている。
圧力空気流路には流速に見合って霧が発生するよう霧吹き口１１が設けられている。
（ハ）チューブ６はノズルが口内の洗浄時にあらゆる角度、距離、方向に動かし易い目的の為に設けられている。
本発明を使用する時はそれぞれの方法で圧力空気を発生させてノズルを歯間、歯周、口腔に当てて使用する。
【発明の効果】
【０００６】（イ）本発明は以上のような構造なので洗浄液は駆動源に接触する事なしに噴射出来，研磨剤入り及びいかなる洗浄液も使用出来る。
（ロ）いかなる歯ブラシも歯ブラシが入っていかない歯間は磨けないが本発明は噴射洗浄液と空気との混合故歯間に入り歯間洗浄を可能にし、狭い歯間にも有効である。
（ハ）圧力を落とすと噴射圧力は容易にさがる、この状態で歯周病の原因である歯周において狭い歯周ポケットに洗浄液及び空気が噴射され洗浄効果及び空気による治療効果が得られる。
【図面の簡単な説明】
【図１】  本発明の概略図である。
【符号の説明】
１圧力空気源    ２コンプレッサー    ３足踏みポンプ    ４手動式ポンプ
５アキュウムレータ    ６チューブ    ７容器サポート    ８ふた    ９洗浄剤容器
１０吸入チューブ    １１霧吹き口    １２ノズル    １３トリガー    １４噴射口
【図１】
2007014730.tif 000003
【手続補正書】
【提出日】平成17年10月3日(2005.10.3)
【手続補正１】
【補正対象書類名】特許請求の範囲
【補正対象項目名】全文
【補正方法】変更
【補正の内容】
【特許請求の範囲】
【請求項１】
圧力空気源又は圧力水源を備え、その圧力を利用して溶剤を霧状又は高速液流にしノズルから噴射し、口腔、歯特に歯間、歯周を効率よく磨く歯磨き、口腔洗浄装置。
【手続補正２】
【補正対象書類名】明細書
【補正対象項目名】全文
【補正方法】変更
【補正の内容】
【発明の詳細な説明】
【発明の詳細な説明】
【０００１】この発明は歯間、歯周、口腔を市販の口内洗浄液、歯磨き剤を水でといた溶液等で洗浄する装置である。
【背景技術】
【０００２】従来は単に水を噴射する、又は歯ブラシのブラシの先から水を広範囲に噴射する方式で歯垢及び汚れは水では落ちにくい。
【発明が解決しようとする課題】
【０００３】従来方式では噴射装置にポンプ等を使用して直接噴射装置に接するので研磨剤入り又は専用の口内洗浄液は構造上使えない。
本発明は歯間、歯周、口腔に、いかなる噴射液でも動力源に接触する事なしで噴射出来るので歯間、歯周、口腔の洗浄に有効である。
【課題を解決しようとする手段】
【０００４】圧力空気源１からの圧力空気により霧吹きの原理により洗浄剤容器９の溶液を吸入チューブ１０から吸い上げ霧状にしてノズル１２の噴射口１４から直接歯間、歯周、口腔に噴射し洗浄する。
圧力水源として手動式ポンプ４を使用する場合は、アキュームレータ５は不要で逆止弁１６を付けた水容器１５を設け、洗浄剤容器９にも逆止弁１６を付け、手動式ポンプ４のピストンの動きの吸引時には逆止弁１６が開きそれぞれ洗浄剤液、水を吸引し、ピストンの圧縮時にはその圧力で逆止弁１６が閉じて吸引した洗浄剤液、水をその圧力で噴射する。
この時手動ポンプ４側に水容器１５を設けてあるので洗浄剤液がポンプに流れ込む事はなく、ピストンの摺動部を傷める事はなく、洗浄剤容器９の吸入チューブ１０の径を水容器１５の径より大きくしておけば水より洗浄剤液をより多く吸引し噴射液はより洗浄剤液に近づき水容器１５の水の消費は少なくすむ。
電動のポンプを使用する場合はアキュームレータ５、水容器１５、逆止弁１６は不要となる。
この事により洗浄液は駆動源に触れる事はない。
本発明は以上のような構成よりなる歯間歯周口腔洗浄噴射装置である。
【発明を実施するための最良の形態】
【０００５】以下、本発明の実施の形態について説明する。
（イ）圧力空気源１を設けこれはコンプレッサー２でも足踏みポンプ３でも手動式ポンプ４でも良くアキュームレータ５は使い勝手を良くする目的で、なくても良くトリガー１３は圧縮空気のスイッチでアキュームレータ５がない場合は不要である。
（ロ）ノズル１２には容器サポート７により取り付けられた脱着可能な洗浄剤容器９がで設けられており、この容器は圧縮空気の経路上どこでも設置してかまわない，容器には吸入チューブ１０とふた８が設けられている。
圧力空気流路には流速に見合って霧が発生するよう霧吹き口１１が設けられている。
（ハ）チューブ６はノズルが口内の洗浄時にあらゆる角度、距離、方向に動かし易い目的の為に設けられている。
（ニ）圧力水源として手動式ポンプ４を使用する場合は水容器１５を設け逆止弁１６を付け洗浄剤容器９にも逆止弁１６を付けて手動ポンプ４のピストンの動きにより吸引、噴射を繰り返しながら使用する。
本発明を使用する時はそれぞれの方法で圧力を発生させてノズルを歯間、歯周、口腔に当てて使用する。
【発明の効果】
【０００６】（イ）本発明は以上のような構造なので洗浄液は駆動源に接触する事なしに噴射出来，研磨剤入り及びいかなる洗浄液も使用出来る。
（ロ）いかなる歯ブラシも歯ブラシが入っていかない歯間は磨けないが本発明は噴射洗浄液と空気との混合又は液体故歯間に入り歯間洗浄を可能にし、狭い歯間にも有効である。
（ハ）圧力を落とすと噴射圧力は容易にさがる、この状態で歯周病の原因である歯周において狭い歯周ポケットに洗浄液及び空気が噴射され洗浄効果及び空気による治療効果が得られる。
【図面の簡単な説明】
【図１】本発明の概略図である。
【符号の説明】
１圧力空気源    ２コンプレッサー    ３足踏みポンプ    ４手動式ポンプ
５アキュウムレータ    ６チューブ    ７容器サポート    ８ふた    ９洗浄剤容器
１０吸入チューブ    １１霧吹き口    １２ノズル    １３トリガー    １４噴射口
１５水容器    １６逆止弁    １７ポンプ
【手続補正３】
【補正対象書類名】図面
【補正対象項目名】全図
【補正方法】変更
【補正の内容】
【図１】
2007014730.tif 000004